(57)【要約】      （修正有）【課題】スライダーによる生地の噛みを防止でき、取り換え作業が容易な布団カバーを提供する。【解決手段】矩形状の表面生地１０及び裏面生地２０と、スライダー３５を含むスライドファスナーとを備えた袋状の布団カバー１であって、表面生地及び裏面生地の辺１１，２１が縫製され、他の辺１２，１３，１４、２２，２３，２４の開口部にスライドファスナーが取り付けられて開閉自在とされ、表面生地の辺１１，１２，１３の外周側に、スライダーによる生地の噛みを防止するカバー部４０が設けられ、スライダーは引手３７を備え、引手は指先が入る大きさの環状部を有する。【選択図】図１
0003203658.tif 000002
【実用新案登録請求の範囲】
【請求項１】
矩形状の表面生地及び裏面生地と、スライダーを含むスライドファスナーとを備えた袋状の布団カバーであって、
前記表面生地及び前記裏面生地の１辺が縫製され、他の３辺の開口部に前記スライドファスナーが取り付けられて開閉自在とされ、
前記表面生地の３辺の外周側及び前記裏面生地の３辺の外周側の少なくとも一方に、前記スライダーによる生地の噛みを防止するカバー部が設けられ、
前記スライダーは引手を備え、前記引手は指先が入る大きさの環状部を有する
ことを特徴とする布団カバー。
【請求項２】
前記布団カバーは、２個のスライダーを有し、
各スライダーは、前記環状部を有する前記引手を備える
請求項１記載の布団カバー。
【請求項３】
前記布団カバーは、前記２個のスライダーと引手を収納する収納部を有する
請求項２記載の布団カバー。
【請求項４】
前記布団カバーの四隅に、スナップボタンを有する結合紐が取り付けられている
請求項３記載の布団カバー。
【考案の詳細な説明】
【技術分野】
【０００１】
本考案は布団カバーに関する。
【背景技術】
【０００２】
布団カバーは、掛け布団や敷き布団等の生地の汚れや損傷の防止のため、布団に被せて使用される。従来の布団カバーは、表面生地と裏面生地との３辺を縫製し、残り１辺の開口部をスライドファスナーによって開閉可能に構成されている。
【０００３】
しかし、従来の布団カバーでは、開口部が１辺のみのため、特にお年寄りや手に障害のある人たちにとっては、布団の出し入れが困難で、布団カバーの取り換え作業が困難であった。
【０００４】
そこで、布団カバーの３辺に開口部を設け、スライドファスナーによって開閉可能に構成した布団カバーが提案されている（例えば、特許文献１、２）。
【０００５】
しかしながら、特許文献１、２に記載の布団カバーは、スライドファスナーの開閉時にスライダーが生地を噛むため、布団カバーの取り換え作業の困難さを十分に解消できていないのが実情である。
【先行技術文献】
【特許文献】
【０００６】
【特許文献１】特開平１１−９４１３号公報
【特許文献２】特開２００８−４３７１８号公報
【考案の概要】
【考案が解決しようとする課題】
【０００７】
本考案は、スライダーによる生地の噛みを防止でき、取り換え作業が容易な布団カバーを提供することを目的とする。
【課題を解決するための手段】
【０００８】
本考案の布団カバーは、矩形状の表面生地及び裏面生地と、スライダーを含むスライドファスナーとを備えた袋状の布団カバーであって、前記表面生地及び前記裏面生地の１辺が縫製され、他の３辺の開口部に前記スライドファスナーが取り付けられて開閉自在とされ、前記表面生地の３辺の外周側及び前記裏面生地の３辺の外周側の少なくとも一方に、前記スライダーによる生地の噛みを防止するカバー部が設けられ、前記スライダーは引手を備え、前記引手は指先が入る大きさの環状部を有することを特徴とする。
【考案の効果】
【０００９】
本考案によれば、表面生地の３辺の外周側及び裏面生地の３辺の外周側の少なくとも一方にカバー部が設けられ、かつスライダーは指先が入る大きさの環状部を有する引手を備えるため、スライダーによる生地の噛みを防止でき、布団カバーの取り換え作業が容易となる。
【図面の簡単な説明】
【００１０】
【図１】本考案の一態様に係る布団カバーを示す展開図である。
【図２】本考案の一態様に係る布団カバーにおけるスライドファスナーの周辺構造を部分的に拡大して示す概略平面図である。
【図３】図２のＸ−Ｘ線矢視の概略側面図である。
【図４】本考案の一態様に係る布団カバーにおけるスライドファスナーの周辺構造を示す概略側面図である。
【図５】本考案の一態様に係る布団カバーにおけるスライドファスナーの開閉動作を説明するための模式図である。
【考案を実施するための形態】
【００１１】
＜概要＞
本考案の一態様に係る布団カバーは、矩形状の表面生地及び裏面生地と、スライダーを含むスライドファスナーとを備えた袋状の布団カバーであって、前記表面生地及び前記裏面生地の１辺が縫製され、他の３辺の開口部に前記スライドファスナーが取り付けられて開閉自在とされ、前記表面生地の３辺の外周側及び前記裏面生地の３辺の外周側の少なくとも一方に、前記スライダーによる生地の噛みを防止するカバー部が設けられ、前記スライダーは引手を備え、前記引手は指先が入る大きさの環状部を有することを特徴としている。
この態様によれば、引手が持ち易く、お年寄りや手に障害のある人たちにとってもスライドファスナーの開閉作業が容易となるため、布団カバーの取り換え作業が容易となり、スライダーによる生地の噛みを防止できる。
【００１２】
他の一態様に係る布団カバーにおいて、前記布団カバーは、２個のスライダーを有し、各スライダーは、前記環状部を有する前記引手を備える。
この態様によれば、各スライダーに取り付けた各引手をスライドファスナーに沿って反対方向に引っ張ることにより布団カバーの３方を開閉できるため、布団カバーの取り換え作業を容易に行うことができる。
【００１３】
また、別の態様に係る布団カバーにおいて、前記２個のスライダーと引手を収納する収納部を有する。
この態様によれば、スライダーや引手が邪魔にならず、起床時にお年寄り等が引手に足を引っ掛けて転倒する等の危険を回避することができる。
【００１４】
また、別の態様に係る布団カバーにおいて、前記布団カバーの四隅に、スナップボタンを有する結合紐が取り付けられている。
この態様によれば、布団の脱着が簡便となり、布団カバーの取り換え作業がさらに容易となる。
【００１５】
以下、本考案の実施形態を図面に基づいて詳細に説明する。なお、本考案は、以下の実施形態に限定されるものではない。
【００１６】
本考案の一態様に係る布団カバーについて、図面を参照して説明する。
【００１７】
図１は、本考案の一態様に係る袋状の布団カバー１の表面生地１０と裏面生地２０とを広げた状態を示す展開図である。
図２は、本考案の一態様に係る布団カバー１におけるスライドファスナー３０の周辺構造を部分的に拡大して示す概略平面図である。
図３は、図２のＸ−Ｘ線矢視の概略側面図である。
図４は、図３の別態様であり、スライドファスナー３０の表面がカバー部４０でカバーされた状態を示す概略側面図である。
【００１８】
図１に示すように、本考案の一態様に係る袋状の布団カバー１は、矩形状の上下２枚の生地（表面生地１０、裏面生地２０）からなり、布団カバー１内に布団（図示せず）が収納される。本実施形態では、布団として掛け布団が好ましく使用される。
【００１９】
布団カバー１は、表面生地１０の辺（長辺）１１と、裏面生地２０の辺（長辺）２１とが縫製され、他の辺１２，１３，１４（２２，２３，２４）は開口部になっている。開口部にはスライドファスナー３０が取り付けられ、布団カバー１が開閉自在となっている。
【００２０】
１．表面生地
表面生地１０は辺（長辺）１１，１３と辺（短辺）１２，１４との矩形状であり、布団カバー１内に収納される布団（図示せず）よりも一回り大きいサイズである。
【００２１】
２．裏面生地
裏面生地２０は辺（長辺）２１，２３と辺（短辺）２２，２４との矩形状であり、表面生地１０と略同等の大きさである。
【００２２】
３．スライドファスナー
図２に示すように、スライドファスナー３０は、基材となる左右一対のテープ３１，３２と、左右一対のエレメント（務歯）３３，３４と、スライダー（開閉部品）３５とを備える。
【００２３】
（１）テープ
図３に示すように、テープ３１の端部３１ｂは表面生地１０の辺１２（１３，１４）の側端部１２ａ（１３ａ，１４ａ）に縫製され、テープ３２の端部３２ｂは裏面生地２０の辺２２（２３，２４）の側端部２２ａ（２３ａ，２４ａ）に縫製されている。
テープ３１，３２の材質は特に限定はないが、主にポリエステルが使用される。
【００２４】
（２）エレメント
各エレメント３３，３４は、各テープ３１，３２の長手方向に沿って並べて取り付けられている。左右一対のエレメント３３，３４の間でスライダー３５を動かすことで、左右のエレメント３３，３４同士が順に組み合わさってゆき、自在に開閉できる構造になっている。開いている状態からスライダー３５を引っ張って動かせば、動かした位置まで閉まり、逆に閉まっている状態からスライダー３５を引っ張って動かせば、動かした位置まで開く構造になっている。
【００２５】
（３）スライダー
図２に示すように、スライダー３５は、主に胴体３６と引手３７とで構成されている。
【００２６】
（３−１）胴体
胴体３６は、胴体３６と引手３７とを連結する柱３６ａを備える。
【００２７】
（３−２）引手
引手３７は、指先が入る大きさの円環状部３７ａを有している。これにより、お年寄りや手に障害のある人たちに引手３７が持ち易くなる。円環状部３７ａの内径は、指先が入る大きさであればよく、通常、２０〜４０ｍｍ程度である。また、引手３７は連結部３７ｂにより柱３６ａと連結されている。
【００２８】
４．カバー部
図１に示すように、表面生地１０の３辺１２，１３，１４の外周側には、全周に亘って、スライダー３５（図２参照）による表面生地１０の噛みを防止する目的でカバー部４０が設けられている。カバー部４０は表面生地１０と同様の生地からなり、いわゆる玉縁としての役割を果たす。カバー部４０の厚み（ｔ３）は表面生地１０の厚み（ｔ１）と略同等の厚みであり、裏面生地２０の厚み（ｔ２）よりも厚い（ｔ３＞ｔ２）。そのため、スライダー３５とエレメント３３との隙間にカバー部４０が挟まりにくくなり、スライダーによる生地の噛みを防止できる。
【００２９】
図３に示すように、カバー部４０の側端部４０ａは、テープ３１の端部３１ａに縫製され固定されている。このように、スライダー３５と表面生地１０との間にカバー部４０が介在するため、スライダー３５が表面生地１０と接することがない。また、スライドファスナー３０の開閉時には、図３に示すように、カバー部４０が表面生地１０の辺１２（１３，１４）側に折り返された状態となる。そのため、スライダー３５による表面生地１０の噛みを防止することができる。
一方、スライドファスナー３０の未使用時には、図４に示すように、カバー部４０は表面生地１０の辺１１（１２，１３）側からスライダー３５の表面を覆い被してカバーしている。
【００３０】
５．スナップボタン
図１に示すように、裏面生地２０の四隅には、布団のずれ等を防止するために結合紐５０が取り付けられている。結合紐５０の長手方向両端部には、布団の脱着を可能にするスナップボタン５１が設けられている。また、裏面生地２０の辺（長辺）２１，２３の中間位置にも、同様のスナップボタン５１を有する結合紐５０が取り付けられている。このように結合紐５０がスナップボタン５１を有することにより、布団の脱着が簡便となり、布団カバー１の取り換え作業がさらに容易となる。
スナップボタン５１の材質は特に限定がなく、例えば、金属製、プラスチック製のものを使用できる。
【００３１】
６．収納部
図１に示すように、裏面生地２０の辺（長辺）２３の中間位置には、２個のスライダー３５と２個の引手３７を一時的に収納する収納部６０が取り付けられている。収納部は、裏面生地２０と同等の材質により形成された矩形状であり、一端側には面ファスナー（オス）６１が取り付けられている。面ファスナー６１と対応する位置、即ち表面生地１０の裏側で辺（長辺）の中間位置近傍には、面ファスナー（メス）６２が取り付けられている。布団カバー１の取り付け後には、面ファスナー（オス）６１を面ファスナー（メス）６２に貼り付け、この中に２個のスライダー３５と２個の引手３７を収納する。このように、スライダー３５と引手３７が邪魔にならないように収納できるため、起床時にお年寄り等が引手３７に足を引っ掛けて転倒する等の危険を回避することができる。
【００３２】
次に、本実施形態における布団カバー１の取り換え作業について説明する。
まず、布団カバー１の取り付け作業について説明する。
面ファスナー（オス）６１と面ファスナー（メス）６２とを剥がして、収納部６０から２個のスライダー３５と２個の引手３７を取り出す。２個の引手３７をスライドファスナー３０に沿って反対方向に引っ張り、布団カバー１の３方を開口する。裏面生地２０の上に布団を載せ、６か所の結合紐５０を布団の係止紐（図示せず）に通し、スナップボタン５１で布団カバー１と布団とを連結する。なお、収納する布団にも、６か所の結合紐と対応する位置に係止紐（図示せず）が設けられているものとする。次に、スライドファスナー３０を閉じて、布団カバー１内に布団を完全に収納した後、面ファスナー（オス）６１と面ファスナー（メス）６２とを貼り付けて、２個のスライダー３５と２個の引手３７を収納部６０内に収納する。
【００３３】
次に、布団カバー１の取り外し作業について説明する。
まず、面ファスナー（オス）６１と面ファスナー（メス）６２とを剥がして、収納部６０から２個のスライダー３５と２個の引手３７を取り出す。２個の引手３７をスライドファスナー３０に沿って反対方向に引っ張り、布団カバー１の３方を開口する。次に、６か所のスナップボタン５１を外し、結合紐５０を布団の係止紐（図示せず）から引き抜いて、布団カバー１から布団を取り出す。
【００３４】
本実施形態では、このようにして布団カバー１の取り換え作業を容易に行うことができる。すなわち、スライドファスナー３０の開閉時には、図３に示すように、カバー部４０が表面生地１０の辺１２（１３，１４）側に折り返された状態となる。また、スライダー３５の引手３７の一部である円環状部３７ａが大きく、円環状部３７ａによりカバー部４０がスライダー３５側に覆い被さるのを防ぐことができる。また、上述したように、スライダー３５と表面生地１０との間にカバー部４０が介在するため、スライダー３５が表面生地１０と接することがない。また、図５に示すように、円環状部３７ａに指先を入れて引手３７を引くと、スライダー３５を支点として引手３７が上方向に引っ張られる。一方、スライダー３５の左右両側のテープ３１，３２は、スライダー３５を支点として下方向に引っ張られる。このように、引手３７とテープ３１，３２とがスライダー３５を支点として反対側に引っ張られた状態で、スライダー３５がスライドファスナー３０の進行方向（長手方向）に対して平行に移動するため、スライダー３５とエレメント３３，３４との間に、表面生地１０及び裏面生地２０が挟まりにくくなる。これにより、スライダー３５が生地を噛むのを防止することができ、布団カバー１の取り換え作業を容易に行うことができる。
【００３５】
＜変形例＞
以上、一実施形態に係る布団カバー１を説明したが、この実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本考案に含まれる。
【００３６】
１．カバー部
実施形態では、表面生地１０の３辺１２，１３，１４の外周側にのみカバー部４０を設けたが、裏面生地２０の３辺２２，２３，２４の外周側にのみカバー部４０を設けてもよく、もしくは表面生地１０の３辺１２，１３，１４の外周側と裏面生地２０の３辺２２，２３，２４の外周側との両方にカバー部４０を設けてもよい。
【００３７】
２．環状部
指先が入る大きさの環状部は、実施形態では円環状部３７ａとしたが、環状部の形状は円に限定されず、四角形状、三角形状等とすることもできる。
【００３８】
３．スライダー
実施形態では、引手３７を備えたスライダー３５を２個設けたが、数に限定はなく、１個もしくは３個以上であってもよい。
【００３９】
４．結合紐
実施形態では、結合紐５０は裏面生地２０側に取り付けたが、表面生地１０側に取り付けてもよい。また、実施形態では布団カバー１の６か所に結合紐５０を取付けたが、辺（長辺）２１，２３の中間位置側の結合紐５０を省略して、布団カバー１の内側の四隅のみに結合紐５０を設けるのみでもよい。
【００４０】
５．スナップボタン
実施形態では、結合紐５０にスナップボタン５１を取付けたが、布団の脱着手段はスナップボタン５１に限定されず、例えば、面ファスナー等を使用することもできる。
【００４１】
６．収納部
収納部６０は、面ファスナー（オス）６１と面ファスナー（メス）６２により脱着可能としているが、スナップボタン等を使用することもできる。
【００４２】
７．縫製した１辺
実施形態では、表面生地１０と裏面生地２０の辺（長辺）１１，２１同士を縫製したが、辺（短辺）4（１２と２２同士、もしくは１４と２４同士）を縫製してもよい。
【００４３】
８．生地の厚み
実施形態では、表面生地１０の厚み（ｔ１）を裏面生地２０の厚み（ｔ２）よりも厚く（ｔ１＞ｔ２）したが、これに限定されず、ｔ１＜ｔ２もしくはｔ１＝ｔ２としてもよい。
また、カバー部４０の厚み（ｔ３）は表面生地１０の厚み（ｔ１）と略同等の厚みとしたが、ｔ３＞ｔ１もしくはｔ３＜ｔ１としてもよい。
【００４４】
９．布団
本実施形態における布団は掛け布団が好ましいが、布団の種類に限定はなく、敷き布団、マットレス、毛布等に使用することもできる。また、布団の材質にも限定はなく、綿布団、羽毛布団、羽根布団、羊毛布団、化繊布団等に使用できる。
【産業上の利用可能性】
【００４５】
本考案は、布団カバーの取り換えを頻繁に行う必要がある施設、例えば、大規模病院（大学病院等）、介護施設、老人ホーム等において特に有用である。
【符号の説明】
【００４６】
１  布団カバー
１０  表面生地
２０  裏面生地
３０  スライドファスナー
３５  スライダー
３７  引手
４０  カバー部
【図１】
0003203658.tif 000003
【図２】
0003203658.tif 000004
【図３】
0003203658.tif 000005
【図４】
0003203658.tif 000006
【図５】
0003203658.tif 000007